(57)【要約】      （修正有）【課題】安全確実に地中杭周を掘削するための地中杭周掘削ケーシング用回動型アダプターを提供する。【解決手段】地中杭周掘削ケーシング用回動型アダプターは、孔を有する上部アダプター２０と、上端に設けられたケーシング用駆動装置接続部１０と、側面にストッパーを下向き斜方に設け、孔を有する下部アダプター３０を設ける。下部アダプターにおいて、下方内部に六角穴を設け、孔を用いて上部アダプターと下部アダプターとを相互に回動可能に軸支し、斜方凸部を有する係合体を設け、上部アダプターに係合体を回動可能に軸支する。係合体と上部アダプター間にスプリングを設けて、上部アダプターに対し係合体端を、常にこの係合体端が上部アダプターへ向かう方向へ付勢し、上部アダプターに対する下部アダプターの位置が一直線となったときに、回動が阻止される。【選択図】図１４
0003233697.tif 000002
【実用新案登録請求の範囲】
【請求項１】
孔を有する上部アダプターを設けるとともに、該アダプターにおいて、上端にケーシング用駆動装置接続部を設け、アダプター側面にストッパーを下向き斜方に設け、孔を有する下部アダプターを設けるとともに、該下部アダプターにおいて、下方内部に六角穴を設け、下部アダプター側面にストッパーを下向き斜方に設け、上記の孔を用いて上部アダプターとか部アダプターとを相互に回動可能に軸支し、一方、斜方凸部を有する係合体を設けるとともに、適宜手段にて上部アダプターに該係合体を回動可能に軸支するとともに、係合体と上部アダプター間に、スプリングを設けて上部アダプターに対し係合体端を、常にこの係合体端が上部アダプターへ向かう方向へ付勢し、上部アダプターに対する下部アダプターの位置が一直線となったときに、下部アダプターに設けたストッパーが係合体の斜方凸部に係合し、また上部アダプターに設けたストッパーと下部アダプターに設けたストッパーが当接することにより、上部アダプターに対する下部アダプターの回動が阻止されるよう構成したことを特徴とする、地中杭周掘削ケーシング用回動型アダプター。
【考案の詳細な説明】
【技術分野】
【０００１】  この考案は、地中杭周を掘削するためのケーシングに付属して用いる回動型アダプターに関する。
【背景技術】
【０００２】  従来より、地中杭周を掘削するための種々の手段があるが、本考案にて示すように、地中杭周掘削ケーシングに専用のアダプターを用いる手段は現在のところ見当たらない。
【考案の概要】
【考案が解決しようとする課題】
【０００３】  上述した従来手段は、ケーシング用駆動装置（電気モーターや油圧モーター等に、ギアを組み合わせた減速装置を組み合わせて、地中杭周掘削ケーシングに与えるトルクを増大するとともに該ケーシングの回転数を減少させるよう構成された市販品）を地中杭周掘削ケーシング（以下、ケーシングと略称する）端に取り付けて、ケーシングを地上に立設させ、ケーシング用駆動装置を回転させて掘削するものであるが、以下のような問題点を有している。上述作業は、地組と高所組とに大別される。
地組：（ケーシングを水平載置した状態にてケーシング用駆動装置を接続する）
１．ケーシングおよびケーシング用駆動装置を水平に接続するときと、機械本体で起こすときに、ケーシングとケーシング用駆動装置との接続部分に大きな負荷がかかるために、この接続部分が破損する恐れがある。
２．ケーシングにケーシング用駆動装置を水平に接続することが困難であり、この作業はオペレーターの技量に左右される。【０００４】  高所組：（ケーシングを重機を用いて立設させてからケーシング用駆動装置を接続する）
高所でケーシングとケーシング用駆動装置を接続するときに、抜け止め用のジョイントピンを打ち込む際に、高所作業車もしは安全はしご等の設備を使用しなければならず、コスト高になるもしくは高所作業に伴う危険がある。本案は以上に鑑み、安全確実に掘削作業を行うことのできる手段を提供することを目的として考案されたものである。
【課題を解決するための手段】
【０００５】  課題を解決する手段として本案は以下の構成とした。すなわち、
孔を有する上部アダプターを設けるとともに、該アダプターにおいて、上端にケーシング用駆動装置接続部を設け、アダプター側面にストッパーを下向き斜方に設け、孔を有する下部アダプターを設けるとともに、該下部アダプターにおいて、下方内部に六角穴を設け、下部アダプター側面にストッパーを下向き斜方に設け、上記の孔を用いて上部アダプターとか部アダプターとを相互に回動可能に軸支し、一方、斜方凸部を有する係合体を設けるとともに、適宜手段にて上部アダプターに該係合体を回動可能に軸支するとともに、係合体と上部アダプター間に、スプリングを設けて上部アダプターに対し係合体端を、常にこの係合体端が上部アダプターへ向かう方向へ付勢し、上部アダプターに対する下部アダプターの位置が一直線となったときに、下部アダプターに設けたストッパーが係合体の斜方凸部に係合し、また上部アダプターに設けたストッパーと下部アダプターに設けたストッパーが当接することにより、上部アダプターに対する下部アダプターの回動が阻止されるよう構成する。
本案は以上の構成よりなる地中杭周掘削ケーシング用回動型アダプターである。
【考案の効果】
【０００６】  本案は下記の効果を有する。
１．上部アダプターと下部アダプターとの組み合わせによる回動型のアダプターを用いて、横置き状態のケーシングを立ち上げて垂直状態とするので、従来法に比べてこの接続部にかかる負荷を小さくすることができるので、従来法にありがちであった接続部の破損を防止することができる。
２．ケーシング用駆動装置と接続部を各々垂直状態にて挿入ロックするので、重機オペレーターの熟練技量に左右されずに安全確実に作業することができる。
３．アダプターを用いてケーシングを立ち上る前に、ケーシングとケーシング用駆動装置を接続し、ケーシング鉛直時にケーシング用駆動装置とケーシングが自動的にロックされるので、作業の危険度を回避することができる。
【図面の簡単な説明】
【０００７】
【図１】従来例の地中杭周掘削工法手順説明図（地組）
【図２】本考案の下部アダプターの平面図
【図３】本考案の下部アダプターの正面図
【図４】本考案の下部アダプターの底面図
【図５】本考案の上部アダプターの平面図
【図６】本考案の上部アダプターの正面図
【図７】本考案に用いる係合体の平面図
【図８】本考案に用いる係合体の正面図
【図９】本考案に用いる係合体の底面図
【図１０】本考案アダプターの組み込み状態図（係合体非係合時）
【図１１】本考案アダプターの組み込み状態図（係合体非係合時）
【図１２】本考案アダプターの組み込み状態図（係合体係合時）
【図１３】本考案アダプターの要部説明図（非係合時）
【図１４】本考案アダプターを用いる地中杭周掘削手順説明図
【図１５】従来例の地中杭周掘削の要部説明図
【考案を実施するための形態】
【０００８】  以下、本考案の実施形態について説明する。
まず、従来手段について説明する。図１および図１５は従来例の地組手段を示すものである。図において、１はケーシングで、長尺筒体であってその側面には貫通する角孔２が両側面に複数個設けられる。３はケーシング端に設けられる刃部で、複数個の凸部が等配に設けられた部分である。４はケーシング用駆動装置との接続部で、有孔六角柱体であってケーシングの他端に垂直に突設され、この突設のためにケーシング端には有孔板体が固着されている。
【０００９】  図１の（ａ）はケーシングを地上に寝かせて載置した状態であって、地上に置かれた所定長木製の角柱５の上に載置され、ケーシングは筒状のために、安定載置用としてのくさび６がケーシングと角柱間に打ち込まれる。１０は既存のケーシング用駆動装置である。
このケーシング用駆動装置はその上部にユニバーサルジョイント形式の部材１１を有し、下部は円柱形部分であって、その下端から中程に至る六角穴を有し、その側面には２個のジョイントピン孔１２が穿設される。なお、前述の接続部４の側面には半円形凹部１３が設けられる。
【００１０】  ケーシング用駆動装置は接続部４に挿入されるが、この接続部外形とケーシング用駆動装置の六角穴内形とは近似サイズであるために、この挿入が可能である。挿入時は、既述のジョイントピン孔と半円形凹部の位置は一致し、ここにジョイントピン（図示略）が挿入され、双方は固定される。なお、ジョイントピン端近傍には細孔が穿設されて、ここに割ピン等が挿入され、ジョイントピンの不用意な脱落は阻止される。
【００１１】地組作業手順：
（ａ）ケーシングは既述のごとく、地上に寝かせた状態にて載置される。
（ｂ）重機にて吊下されたケーシング用駆動装置を接続部に近づけ、ケーシング用駆動装置下端を接続部端に載せ、重機操作にてケーシング用駆動装置を傾けて熟練技にて接続部にケーシング用駆動装置を挿入する。
（ｃ）ジョイントピンを挿入し、抜け止めのピンをジョイントピンに挿入する。
（ｄ）重機操作にてケーシングを立てる。
（ｅ）ケーシングを回転させて掘削作業を行う。
（ｆ）ケーシングは地中に入り込み、地中杭周と地中面とは切り離される。
その後、ケーシングを地中から抜き去り、地中杭に玉掛けワイヤーを掛けて、重機操作にて地中杭を抜き去る。
以上が、従来工法地組手段の概要である。
【００１２】  これとは別に高所組手段がある。高所組の場合は、図１（ａ）のように地上に寝かせたケーシングに玉掛けワイヤーを用いて、このワイヤーをケーシングに固定し、重機操作にてこのケーシングを垂直に立ち上げ、ケーシング用駆動装置を接続部に上方から落とし込んでジョイントピンにて固定する。この固定位置は地上高所であるために、既述のごとく高所作業車を用いるかあるいは安全はしごを用いることとなるが、前者はコストがかかり、後者は危険を伴うものとなる。
【００１３】  次ぎに、本考案について説明する。図において、２０は上部アダプター、２０は下部アダプターで、相互に組み合わせて用いる。２１は上部主体で、上部を平板にて一部閉塞した金属製筒体である。２２は上部主体上面に立設される六角柱によるケーシング用駆動装置接続部、２３は上部主体下面に一体形成されるセンター環体である。２４はセンター環体側方に突設されるアーム、２５は該アームに穿設される孔、２６はセンター環体側方に斜方突設されるストッパーで、略四角柱状体であって、その長さはセンター環体幅より大きく、後述のサイド環体間巾と同一である。以上が上部アダプターの構成である。
【００１４】  次ぎに、下部アダプターについて説明する。３１は下部主体で、所定長の金属製筒体である。３２は下部主体内下方に設けられる六角穴、３３はサイド環体で、相互に距離を有して下部主体上部に一対が設けられる。３４はストッパーで、前記のストッパー２６と同様物であって、サイド環体側面やや下方に突設される。
以上が下部アダプターの構成である。
【００１５】  次ぎに、係合体４０について説明する。４１は主板で、所定厚の長方形板体であって、その一部に長方形状の空隙部４２が設けられる。４３は斜方凸部で、図８にて示すように、主板先端から後端に向かうにつれて斜方上向きに突き出す部分である。４４はステーで、主板上面に突設される一対の板体で、孔４５を各々有している。以上の上部アダプターと下部アダプターおよび係合体は以下のごとく組み合わされ軸支される。
【００１６】  図１０〜図１２にて示すように、上部アダプターのセンター環体は下部アダプターのサイド環体内に挿入され、センター軸５０にて回動可能に軸支される。このセンター軸両端には小四角板の止め板５１が固着されて、軸の脱落は防止される。
また、アームの孔は係合体の孔と一致して、アームに対し係合体は軸５２を介して回動可能に軸支される。５４はスプリング軸で、上部主体側面に突設される。５５はスプリング保持筒で、前記係合体にその一端が固着される。５６は圧縮コイルスプリングで、上部主体側面と係合体間にて、スプリング軸およびスプリング保持筒を内部に位置させて設けられる。以上の構成にて本考案の主要構成となる。
【００１７】  次ぎに、本案の作用について説明する。
図１０の状態は、上部アダプターに対し、下部アダプターが左方に直角突出している初期位置を示すものである。上部主体に対し下部主体はセンター軸を回動中心として回動可能であり、下部主体端を下方に移動させると、下部主体は回動して図１１の位置へと変化する。すなわち、下部主体端は徐々に下方へ向かい、やがてストッパー３４の端に係合体の斜方凸部の斜方面が当接する。さらに回動を続けると、ストッパー端は斜方凸部を押し上げ、斜方凸部の垂直面に至り、図１２のごとくストッパーははまり込む。このとき、ストッパー３４はストッパー２６に当接して回動は停止する。これが図１２の状態である。
【００１８】  この状態において、斜方凸部の垂直面はストッパー３４に当接しているため、下部アダプターが横に突出している初期状態への復帰は阻止される。係合体はスプリングの反発力にて常に係合体下端が下部アダプターへ向かう方向へと付勢されており、従って係合板の図１２の位置は保持される。前記スプリング軸の先端近傍はスプリング保持筒の先端近傍内部に位置しており、この位置関係から、係合体の回動による位置変化に対応して、スプリング保持筒はスプリング軸に対し平行スライドし、圧縮コイルスプリングは安定的に伸縮することができる。なお、図１２の状態を図１０の状態へ戻すには、係合体の上部側面を押圧することにて、ストッパー３４に対する斜方凸部の係合は解除されるので、上部主体に対する下部主体の回動を行うことができる。
【００１９】  また、上部主体と下部主体には有孔コ字形の通水管ホルダー６０と６１が各々突設され、このホルダー間には柔軟性を有する合成樹脂管による通水管６２が通水接続される。
前記ケーシング用駆動装置接続部には図５にて示すように、中央に孔が設けられており、ここから管体接続（図示略）にて通水管ホルダーに水が供給される。供給された水は通水管ホルダー６０から通水管６２を経て通水管ホルダー６１へと至り、下部主体側面の孔から噴出する。
噴出した水は、前記のケーシング用駆動装置との接続部４の中央に孔が設けられているので、この孔から落下して掘削箇所へと至り、スムースに掘削することができる。なお、通水管ホルダーへの水供給は、ケーシング回転に伴う外部供給管のねじれがないように、公知技術にて対応される。
【００２０】  以上、本考案について記したが、本案は従来法で課題となっていた掘削作業の破損および危険性を回避できるものである。本案ではケーシング鉛直時に本案のアダプターとケーシングが自動ロックされるので、人が高所で作業する従来法のような作業危険性を有しないものとなったのである。なお、ケーシングの角穴は掘削時のケーシング内部圧力を逃がすためのものである。また、既述の例は実施の一例であって、近似の他の構成としてもよい。以上のごとく、本案によって種々の利点を有する地中杭周掘削ケーシング用の回動型アダプターを得ることができる。
【符号の説明】
【００２１】  １  ケーシング
２  角穴
３  刃部
４  接続部
１０  ケーシング用駆動装置
１１  ユニバーサルジョイント部材
１２  ジョイントピン孔
１３  半円形凹部
２０  上部アダプター
２１  上部主体
２２  ケーシング用駆動装置接続部
２３  センター環体
２４  アーム
２５  孔
２６  ストッパー
３０  下部アダプター
３１  下部主体
３２  六角穴
３３  サイド環体
３４  ストッパー
４０  係合体
４１  主板
４２  空隙部
４３  斜方凸部
４４  ステー
４５  孔
５０  センター軸
５１  止め板
５２  軸
５３  止め板
５４  スプリング軸
５５  スプリング保持筒
５６  圧縮コイルスプリング
６０  通水管ホルダー
６１  通水管ホルダー
６２  通水管
【図１】
0003233697.tif 000003
【図２】
0003233697.tif 000004
【図３】
0003233697.tif 000005
【図４】
0003233697.tif 000006
【図５】
0003233697.tif 000007
【図６】
0003233697.tif 000008
【図７】
0003233697.tif 000009
【図８】
0003233697.tif 000010
【図９】
0003233697.tif 000011
【図１０】
0003233697.tif 000012
【図１１】
0003233697.tif 000013
【図１２】
0003233697.tif 000014
【図１３】
0003233697.tif 000015
【図１４】
0003233697.tif 000016
【図１５】
0003233697.tif 000017